【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
遊技機自身に動作電力が供給されている場合に動作可能であり、所定の事象が発生しているか否かの監視制御を実行する第１監視制御手段と、
所定の報知を実行可能な第１報知手段と、
前記第１監視制御手段において監視対象の事象が発生していると特定されたことに基づいて、予め定められた第１の報知を実行するように前記第１報知手段を制御する報知制御手段と、
前記第１監視制御手段及び前記報知制御手段とは物理的に独立して設けられているとともに、少なくとも遊技機自身に動作電力が供給されていない場合に動作可能であり、さらに前記所定の事象又は前記所定の事象とは異なる事象が発生しているか否かの監視制御を実行する第２監視制御手段と、
前記第１報知手段とは別に設けられ、前記第２監視制御手段により監視対象の事象が発生していることが特定されたことに基づいて、予め定められた第２の報知を実行するように前記第２監視制御手段により制御される第２報知手段と、
を備えていることを特徴とする遊技機。
【請求項２】
少なくとも前記第２の報知を終了させる場合に手動操作される又は少なくとも前記第２の報知を終了させる場合に所定の終了情報が入力される終了受付部と、
前記第２監視制御手段から出力された信号を前記第２報知手段に伝送する報知用信号経路と、
前記終了受付部から出力された信号を前記第２監視制御手段に伝送する終了用信号経路と、
を備えており、
前記報知用信号経路を構成する少なくとも一の信号線と前記終了用信号経路を構成する少なくとも一の信号線とは、それら信号線がいずれの経路の信号線であるかが外観上識別困難となるように接続ユニットとして集約させて設けられていることを特徴とする請求項１に記載の遊技機。
【請求項３】
前記報知制御手段は、前記第２監視制御手段により監視対象の事象が発生していることが特定されたことに基づいて、予め定められた第３の報知を実行するように前記第１報知手段を制御するものであるとともに、前記終了受付部が手動操作されたこと又は前記終了受付部に対して前記終了情報が入力されたことが前記第２監視制御手段により特定されたことに基づいて、前記第３の報知の実行を解除するものであることを特徴とする請求項２に記載の遊技機。
【請求項４】
前記報知制御手段は、遊技状況に応じた所定の報知を実行するように前記第１報知手段を制御するものであり、
前記第２監視制御手段から出力された信号を前記第２報知手段に伝送する信号経路を構成する少なくとも一の信号線と、前記報知制御手段から出力された信号を前記第１報知手段に伝送する信号経路を構成する少なくとも一の信号線とは、それら信号線がいずれの経路の信号線であるかが外観上識別困難となるように接続ユニットとして集約させて設けられていることを特徴とする請求項１乃至３のいずれか１に記載の遊技機。
【請求項５】
前記報知制御手段は、
前記第１監視制御手段において監視対象の事象が発生していると特定されて第１報知実行条件が成立していることに基づいて、前記第１の報知を実行するように前記第１報知手段を制御する第１監視用報知制御手段と、
前記第２監視制御手段において監視対象の事象が発生していると特定されて第２報知実行条件が成立していることに基づいて、予め定められた第３の報知を実行するように前記第１報知手段を制御する第２監視用報知制御手段と、
を備えていることを特徴とする請求項１乃至４のいずれか１に記載の遊技機。
【請求項６】
終了受付部が手動操作されたこと又は終了受付部に対して所定の終了情報が入力されたことに基づいて、前記第２報知実行条件が成立している状態を解除させる報知解除制御手段を備え、
当該報知解除制御手段は、前記第１の報知が実行されている状況で前記第２報知実行条件が成立している場合には、前記終了受付部が手動操作されたとしても又は前記終了受付部に対して前記終了情報が入力されたとしても、前記第２報知実行条件が成立している状態を解除しないものであることを特徴とする請求項５に記載の遊技機。
【請求項７】
前記報知制御手段は、前記第１報知実行条件及び前記第２報知実行条件の両方が成立している場合に、前記第１監視用報知制御手段による前記第１の報知の実行制御と、前記第２監視用報知制御手段による前記第３の報知の実行制御とが段階的に行われるようにする段階設定手段を備えていることを特徴とする請求項５又は６に記載の遊技機。
【請求項８】
前記第２監視制御手段は、所定の出力条件が成立した場合に自身が正常に動作していることを示す正常動作信号を出力するものであり、
前記正常動作信号が出力されているか否かを監視し、前記所定の出力条件が成立したにも関わらず前記正常動作信号が出力されない状況が発生した場合には所定の報知を行うための処理を実行する正常動作監視手段を備えていることを特徴とする請求項１乃至７のいずれか１に記載の遊技機。
【請求項９】
前記第２監視制御手段は、
少なくとも遊技機自身に動作電力が供給されている状況において、監視対象の事象が発生しているか否かを監視する監視実行手段と、
当該監視実行手段により前記監視対象の事象が発生していると特定された場合に、前記第２の報知を実行する必要があることを示す要報知情報を記憶する要報知情報記憶手段と、
当該要報知情報記憶手段に前記要報知情報が記憶されていることに基づいて、前記第２の報知を実行するように前記第２報知手段を制御する報知実行手段と、を備えていることを特徴とする請求項１乃至８のいずれか１に記載の遊技機。
【請求項１０】
少なくとも遊技機自身に動作電力が供給されていない場合に前記第２監視制御手段に動作電力を供給する電断中用電源手段を備え、
前記監視実行手段は、遊技機自身に動作電力が供給されている場合及び遊技機自身に動作電力が供給されていない場合の両方の状況において、監視対象の事象が発生しているか否かを監視するものであり、
前記第２監視制御手段は、
当該監視実行手段において監視を行うことが可能な期間のうち、所定の監視期間の情報を記憶する監視期間情報記憶手段と、
前記所定の監視期間において前記監視実行手段により前記監視対象の事象が発生していると特定されたことに基づいて、前記要報知情報記憶手段に前記要報知情報を記憶させる要報知情報記憶実行手段と、
を備えていることを特徴とする請求項９に記載の遊技機。
【請求項１１】
前記監視実行手段により監視される監視対象の事象は複数種類設定されており、
前記要報知情報記憶実行手段は、前記複数種類設定された監視対象の事象のうち一部の事象については前記所定の監視期間に発生した場合に当該事象に対応した情報を前記要報知情報として前記要報知情報記憶手段に記憶させ、前記複数種類設定された監視対象の事象のうち他の事象については前記所定の監視期間に発生した場合及び前記所定の監視期間外に発生した場合のいずれにおいても当該事象に対応した情報を前記要報知情報として前記要報知情報記憶手段に記憶させるものであることを特徴とする請求項１０に記載の遊技機。
【請求項１２】
少なくとも遊技機自身に動作電力が供給されていない場合に前記第２監視制御手段に動作電力を供給する電断中用電源手段を備え、
前記第２監視制御手段は、当該第２監視制御手段に動作電力が供給されている状況において少なくとも時刻情報を計測するための計測手段を備え、当該計測手段の計測結果に基づいて前記第２の報知を実行する場合には監視対象の事象が発生した時刻の情報が少なくとも報知される構成であり、
さらに、前記第２監視制御手段は、
前記計測手段にて計測されている情報を修正可能な修正手段と、
前記第２監視制御手段自身に動作電力が供給されていない状況が発生したか否かを判定する電力遮断判定手段と、
当該電力遮断判定手段により第２監視制御手段自身に動作電力が供給されていない状況が発生したと判定されたことに基づいて、予め定められた特別報知が実行されるように前記第２報知手段又は当該第２報知手段とは異なる報知手段を制御する特別報知実行手段と、
を備えていることを特徴とする請求項１乃至１１のいずれか１に記載の遊技機。